(57)【要約】      （修正有）【課題】掛け軸や額を仏壇内に設置する場合に、好みの高さに調節することができ、デザイン性の高い仏壇用保持台を提供すること。【解決手段】仏壇の掛け軸又は額を保持する仏壇用保持台であって、前記掛け軸又は額を支持する支持部材２０と、前記支持部材２０を固定する台座部材１０とを有し、前記支持部材２０は、略長方形の平板で、一方の短辺に前記掛け軸又は額を固定する取り付け部と、他方に前記台座部材１０と接続する接続部と、を備え、前記台座部材１０は、逆Ｔ字型の部材で、該台座部材１０を支える基台部と、前記支持部材２０の前記接続部を固定する固定部と、を備える、ことを特徴とする。【選択図】図１
0003202477.tif 000002
【実用新案登録請求の範囲】
【請求項１】
仏壇の掛け軸又は額を保持する仏壇用保持台であって、
前記掛け軸又は額を支持する支持部材と、
前記支持部材を固定する台座部材と
を有し、
前記支持部材は、略長方形の平板で、一方の短辺に前記掛け軸又は額を固定する取り付け部と、他方に前記台座部材と接続する接続部と、を備え、
前記台座部材は、逆Ｔ字型の部材で、該台座部材を支える基台部と、前記支持部材の前記接続部を固定する固定部と、を備える、
ことを特徴とする仏壇用保持台。
【請求項２】
前記取り付け部は、前記掛け軸又は額を挟んで支持する挟持部を有し、
前記接続部は、面ファスナーで前記固定部に固定する、
ことを特徴とする請求項１に記載の仏壇用保持台。
【請求項３】
前記支持部材および前記台座部材は、アクリル、塩化ビニル、合成樹脂又はエンジニアリングプラスチックである、ことを特徴とする請求項１又は請求項２に記載の仏壇用保持台。
【考案の詳細な説明】
【技術分野】
【０００１】
本考案は、仏壇の掛け軸や額を保持する仏壇用保持台に関する。本考案は、本尊画像を表した掛け軸を保持する仏壇本尊用保持台に関するものであってもよい。
【背景技術】
【０００２】
仏具の各宗派、本尊、脇侍においては、掛軸又は仏像などを使用するのが一般的である。特許文献１では、本尊画像を表した掛け軸を、仏壇の内陣に祀ったときに灯明の柔らかい光を受けて高貴な輝きを示し、荘厳な趣が得られる仏壇本尊用掛け軸に関する技術を開示している。
【先行技術文献】
【特許文献】
【０００３】
【特許文献１】登録実用新案公報  第３０４４２１９号公報
【考案の概要】
【考案が解決しようとする課題】
【０００４】
しかしながら、特許文献１に開示されている技術では、掛け軸や額を仏壇内に設置する場合に、好みの高さに調節することができない場合がある。また、近年、金仏壇から家具調の仏壇へ移行しているため、仏壇の小型化が進み、好みの高さに調節することができる仏具（保持台）が求められている。更に、仏壇に配置する仏具（保持台）のデザイン性の向上が求められている。
【０００５】
本発明は、本尊、脇侍の掛け軸や額を仏壇内に設置する場合に、好みの高さに調節することができ、且つ、デザイン性の高い仏壇用保持台を提供することを目的とする。また、本考案は、本尊画像を表した掛け軸を保持する仏壇本尊用保持台に関するものであってもよい。
【課題を解決するための手段】
【０００６】
上記課題を解決するために、本考案の一つの実施形態は、仏壇の掛け軸又は額を保持する仏壇用保持台であって、前記掛け軸又は額を支持する支持部材と、前記支持部材を固定する台座部材とを有し、前記支持部材は、略長方形の平板で、一方の短辺に前記掛け軸又は額を固定する取り付け部と、他方に前記台座部材と接続する接続部と、を備え、前記台座部材は、逆Ｔ字型の部材で、該台座部材を支える基台部と、前記支持部材の前記接続部を固定する固定部と、を備える、ことを特徴とする仏壇用保持台を提供する。
【０００７】
本考案の他の実施形態は、上記の仏壇用保持台であって、前記取り付け部は、前記掛け軸又は額を挟んで支持する挟持部を有し、前記接続部は、面ファスナーで前記固定部に固定する、ことを特徴とする仏壇用保持台であってもよい。
【０００８】
本考案の他の実施形態は、上記のいずれか１つの仏壇用保持台であって、前記支持部材および前記台座部材は、アクリル、塩化ビニル、合成樹脂又はエンジニアリングプラスチックである、ことを特徴とする仏壇用保持台であってもよい。
【考案の効果】
【０００９】
本考案に係る仏壇用保持台によれば、掛け軸や額を仏壇内に設置する場合に、好みの高さに調節することができ、デザイン性の高い仏壇用保持台を提供することができる。
【図面の簡単な説明】
【００１０】
【図１】本考案の実施形態に係る仏壇用保持台の一例を説明する説明図である。
【図２】本考案の実施形態に係る仏壇用保持台の台座部材の一例を説明する説明図である。
【図３】本考案の実施形態に係る仏壇用保持台の台座部材の他の例を説明する説明図である。
【図４】本考案の実施形態に係る仏壇用保持台の支持部材の一例を説明する説明図である。
【図５】本考案の実施形態に係る仏壇用保持台の支持部材の挟持部の使用例を説明する拡大図である。
【図６】本考案の実施形態に係る仏壇用保持台の使用例を説明する説明図である。
【考案を実施するための形態】
【００１１】
実施形態に係る仏壇用保持台の例を用いて、本考案を説明する。なお、本考案は、以後に説明する仏壇用保持台以外でも、仏壇で掛け軸や額などを保持できるもの（部品、装置、台、器具など）であれば、いずれのものにも用いることができる。なお、仏壇用保持台の素材、色は、特に限定されない。仏壇用保持台の色は、透明、半透明、色付きのものであってもよい。仏壇用保持台の色は、例えば使用者（消費者）の趣味趣向に合わせた柄のもの（例えば透明、金箔など）であってもよい。
【００１２】
以後に、本考案を説明する。
【００１３】
図１乃至図５を用いて、本考案の実施形態に係る仏壇用保持台の構成を説明する。ここで、図１は、本考案の第１の実施形態に係る仏壇用保持台１００の一例を説明する説明図である。図２（ａ）は、本考案の実施形態に係る仏壇用保持台１００の台座部材１０の一例（１０Ａ）を説明する正面図である。図２（ｂ）は、本考案の実施形態に係る仏壇用保持台１００の台座部材１０の一例（１０Ａ）を説明する側面図である。図３（ａ）は、本考案の実施形態に係る仏壇用保持台１００の台座部材１０の他の例（１０Ｂ）を説明する正面図である。図３（ｂ）は、本考案の実施形態に係る仏壇用保持台１００の台座部材１０の他の例（１０Ｂ）を説明する側面図である。図４（ａ）は、本考案の実施形態に係る仏壇用保持台１００の支持部材２０の一例（２０Ａ）を説明する正面図である。図４（ｂ）は、本考案の実施形態に係る仏壇用保持台１００の支持部材２０の一例（２０Ａ）を説明する側面図である。図５は、本考案の実施形態に係る仏壇用保持台１００の支持部材２０の挟持部の使用例を説明する拡大図である。なお、図１等に示す仏壇用保持台の構成等は一例であり、本考案は図１等に示す仏壇用保持台等に限定されるものではない。
【００１４】
図１を用いて、本考案の実施形態に係る仏壇用保持台１００を説明する。なお、図１に示す仏壇用保持台は一例であり、本考案は図１に示す仏壇用保持台に限定されるものではない。
【００１５】
図１に示すように、本考案に係る仏壇用保持台１００は、仏壇の掛け軸又は額を保持するものである。仏壇用保持台１００は、本考案では、掛け軸又は額を支持する支持部材２０と、支持部材２０を固定する台座部材１０とを有する。なお、仏壇用保持台１００（支持部材２０および台座部材１０）は、アクリル、塩化ビニル、合成樹脂又はエンジニアリングプラスチックを用いることができる。また、本考案に係る仏壇用保持台１００（支持部材２０および台座部材１０）の形状は、特に限定されない。本考案に係る仏壇用保持台１００（支持部材２０および台座部材１０）の形状は、設計、実験、計算などで予め定められる形状とすることができる。また、本考案に係る仏壇用保持台１００（支持部材２０および台座部材１０）の形状は、角が丸まったもの又は尖ったものであってもよい。下記に、各構成を具体的に説明する。
【００１６】
図２に、台座部材１０の一例（１０Ａ）を示す。台座部材１０Ａは、図２（ａ）および図２（ｂ）に示すように、本実施形態では、逆Ｔ字型の部材である。台座部材１０Ａは、台座部材１０Ａを支える基台部１１と、支持部材２０（後述する図４の接続部２１）を固定する固定部１２と、を備える。固定部１２は、面ファスナー（図２の１３）を用いることができる。
【００１７】
図３に、台座部材１０の他の例（１０Ｂ）を示す。台座部材１０Ｂは、図３（ａ）および図３（ｂ）に示すように、本実施形態では、逆Ｔ字型の部材である。台座部材１０Ｂは、台座部材１０Ｂを支える基台部１１Ｂと、支持部材２０（後述する図４の接続部２１）を固定する固定部１２Ｂと、を備える。固定部１２Ｂは、面ファスナー（図３の１３）を用いることができる。
【００１８】
図４に、支持部材２０の一例（２０Ａ）を示す。支持部材２０Ａは、図４（ａ）および図４（ｂ）に示すように、本実施形態では、略長方形の平板である。支持部材２０Ａは、一方の短辺に掛け軸又は額を固定する取り付け部２２と、他方に台座部材１０（図１）と接続する接続部２１と、を備える。図５に示すように、支持部材２０Ａ（図４）は、取り付け部（挟持部）２２を用いて、掛け軸の紐を保持することができる。接続部２１は、面ファスナーを用いることができる。
【００１９】
以上のとおり、本考案に係る仏壇用保持台によれば、掛け軸や額を仏壇内に設置する場合に、好みの高さに調節することができ、デザイン性の高い仏壇用保持台を提供することができる。また、本考案は、本尊画像を表した掛け軸を保持する仏壇本尊用保持台に関するものであってもよい。更に、本考案に係る仏壇用保持台によれば、コンパクトで持ち運びすることができ、容易に利用することができる。
【００２０】
本考案に係る仏壇用保持台によれば、仏壇内に設置する掛け軸や額の高さを調節することができ、透明のアクリルで製造することができるので、仏壇内の空間デザインを高め、調和のとれた演出を実現できる。また、本考案に係る仏壇用保持台によれば、アクリル、塩化ビニル、合成樹脂又はエンジニアリングプラスチックを用いることができ、比較的簡易な構造で高さを調節することができ、安価で製造することができ、安価で販売することができる。
【００２１】
図６に、本考案の実施形態に係る仏壇用保持台の使用例を説明する説明図を示す。図６に示すように、本考案に係る仏壇用保持台によれば、仏壇内に掛け軸を所望の高さで設置することができる。
【００２２】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２３】
１００  ：  仏壇用保持台（仏壇本尊用保持台など）
１０，１０Ａ，１０Ｂ  ：  台座部材
１１，１１Ｂ  ：  基台部
１２，１２Ｂ  ：  固定部
１３  ：  面ファスナー
２０，２０Ａ  ：  支持部材
２１  ：  接続部
２２  ：  取り付け部（挟持部など）
【図１】
0003202477.tif 000003
【図２】
0003202477.tif 000004
【図３】
0003202477.tif 000005
【図４】
0003202477.tif 000006
【図５】
0003202477.tif 000007
【図６】
0003202477.tif 000008